(57)【要約】【課題】直列に連結された複数の単管及び継手金具に関し、任意の部分において単管及び継手金具の分解を可能にし、連続単管手摺等の一部の局所的な撤去を可能にする。【解決手段】単管足場の単管継手金具(1)は、外装管(2)、固定内装管(3)、案内杆(4)及び可動内装管(5)を有する。案内杆は、可動内装管の軸芯（Ｘ−Ｘ）方向及び回転方向の運動を規制する。可動内装管は、外装管から突出して単管の係止ピンと係合する突出位置(I)と、係止ピンとの係合を解いて外装管内に引込む退避位置(II)との間で移動する。【選択図】図１
0003129321.tif 000002
【実用新案登録請求の範囲】
【請求項１】
環状の大径部分と、該大径部分の両側に同心状に配置され且つ大径部分と一体化した円形断面の小径部分とを有し、小径部分は、足場用単管の端部開口に挿入された状態で単管に対して相対回転することにより、単管の端部に係止する単管足場の単管継手金具において、
前記大径部分を構成する外装管(2)と、
該外装管に固定され、外装管の片側に前記小径部分を形成する固定内装管(3)と、
前記外装管に挿入され、前記外装管の反対側に前記小径部分を形成するように前記外装管から軸芯方向に突出する可動内装管(5)と、
前記外装管に係合し、前記可動内装管の回転を制限し又は禁止する案内杆(4)とを有し、
前記案内杆は、前記可動内装管と一体的に軸芯方向に移動し、
前記可動内装管は、前記案内杆の案内に従って、前記外装管から突出して前記単管の端部開口に挿入される突出位置(I)と、前記外装管内に引込む退避位置(II)とに移動することを特徴とする単管継手金具。
【請求項２】
前記可動内装管は、前記外装管から突出する単管係止部と、単管係止部と一体化し且つ外装管内を移動する管内移動部とから構成され、前記管内移動部の内端部は、前記固定内装管内に延入することを特徴とする請求項１に記載の単管継手金具。
【請求項３】
前記単管係止部の全長は、前記退避位置において単管係止部の内端部が固定内装管の内端部と当接し又は近接するように設定されることを特徴とする請求項２に記載の単管継手金具。
【請求項４】
前記外装管は、軸芯方向に延びる一対のスロットを有し、前記案内杆は、前記スロットを貫通するボルト・ナット組立体からなり、該組立体のボルトは、前記可動内装管を貫通することを特長とする請求項１乃至３のいずれか１項に記載の単管継手金具。
【考案の詳細な説明】
【技術分野】
【０００１】
本考案は、単管継手金具に関するものであり、より詳細には、複数の足場用単管を直列に連結する単管足場の単管継手金具に関するものである。
【背景技術】
【０００２】
建築・土木工事の工事現場において使用される作業用仮設足場として、単管足場、ブラケット足場、ビティ足場、吊り足場、張出し足場等が知られている。単管足場は、鋼製単管を緊結金具、継手金具等を用いて組立てた構造の仮設足場であり、多くの建設現場において使用されている。
【０００３】
単管足場の布枠によって形成された作業通路には、通常は、落下防止用の手摺が配設される。一般に、手摺は、複数の単管を継手金具によって直列且つ水平に連結することによって作業通路に沿って形成される。所望により、複数段の単管手摺が、作業通路に沿って配置される。
【０００４】
単管同士を直列に連結する継手金具として、環状の大径部分（カラー）と円形断面の小径部分とを同心状且つ一体的に連結した単管継手金具が従来より採用されている。小径部分は、大径部分の両側に延び、両側の単管の開口端部に挿入される。単管の端部には、単管を直径方向に貫通する係止ピン（廻り止めピン）が取付けられ、他方、単管継手金具の小径部分には、ピンを受入れ可能なＬ形溝が形成される。単管の開口端部に挿入された小径部分は、ピンをＬ形溝に受入れた状態で回転され、ピンは、Ｌ形溝に係止する。このようなピン及びＬ形溝の係止機構を備えた単管継手金具は、例えば、特開平７−１８８５１号公報、特開平７−２４３２５７号公報に記載されている。なお、単管継手金具は、単管ジョイント、直線ジョイトとも呼ばれる。また、緊結金具（クランプ部材）を組付けた単管継手金具も知られている。
【０００５】
図１０及び図１１は、従来の単管継手金具の構造及び使用方法を示す斜視図及び正面図である。
【０００６】
図１０に示す如く、単管継手金具Ａは、中央の大径部分Ｂと、両側の小径部分Ｃとを一体化した管状部材からなる。小径部分Ｃは、大径部分Ｂの両側に同心状に連結される。一対のＬ形溝Ｄが、各小径部分Ｃの開口端に形成される。
【０００７】
単管継手金具Ａの小径端部Ｃは、図１１（Ａ）に示すように単管Ｆの開口端部に挿入される。単管Ｆには、単管Ｆを直径方向に貫通する係止ピンＧが固定されており、ピンＧをＬ形溝Ｄに挿入した状態で単管継手金具Ａを矢印方向に回転させると、ピンＧは、Ｌ形溝Ｄに係止し、単管継手金具Ａは、図１１（Ｂ）に示すように単管Ｆに接続され且つロックされる。次いで、単管Ｈが、反対側の小径端部Ｃを単管Ｈの開口端部に挿入するように単管継手金具Ａに組付けられ、Ｌ形溝Ｄは、単管Ｈを直径方向に貫通する係止ピンＩを受入れる。単管Ｈを矢印方向に回転させると、単管Ｈは、図１１（Ｃ）に示すように単管継手金具Ａに接続され且つロックされる。このように単管及び継手金具を順次連結することにより、多数の単管を直列に連結することができ、これにより、足場の全長に亘って延びる水平な手摺を単管足場に形成することができる。
【特許文献１】特開平７−１８８５１号公報
【特許文献２】特開平７−２４３２５７号公報
【考案の開示】
【考案が解決しようとする課題】
【０００８】
現実の建設工事においては、工事の進捗状況に相応して大型機器搬入又は資材搬入等のために仮設足場の手摺を部分的且つ過渡的に撤去する必要が生じることがある。しかし、単管及び継手金具を順次連結して連続手摺を施工する従来の単管継手金具の構造によれば、手摺を部分的に取外すには、連結時と逆の作業手順に従って単管及び継手金具を順次分解し、かなり広い範囲に亘って多数の単管を撤去した後、特定領域を除いて単管手摺を再構築しなければならない。即ち、従来の単管継手金具を用いて単管を接続した手摺では、手摺の撤去を要する領域の単管のみならず、これを遥かに超えた広い範囲の単管を一旦撤去しなければならず、手摺の撤去を要する領域の単管のみを局所的に取外すことはできない。
【０００９】
本考案は、このような課題に鑑みてなされたものであり、その目的とするところは、単管継手金具によって直列に連結された多数の単管に関し、特定の単管のみの局所的な撤去を可能にする単管継手金具を提供することにある。
【課題を解決するための手段】
【００１０】
上記目的を達成すべく、本考案は、環状の大径部分と、 該大径部分の両側に同心状に配置され且つ大径部分と一体化した円形断面の小径部分とを有し、小径部分は、足場用単管の端部開口に挿入された状態で単管に対して相対回転することにより、単管の端部に係止する単管足場の単管継手金具において、
前記大径部分を構成する外装管(2)と、
該外装管(2)に固定され、外装管(2)の片側に前記小径部分を形成する固定内装管(3)と、
前記外装管(2)に挿入され、前記外装管(2)の反対側に前記小径部分を形成するように前記外装管(2)から軸芯方向に突出する可動内装管(5)と、
前記外装管(2)に係合し、前記可動内装管(5)の回転を制限し又は禁止する案内杆(4)とを有し、
前記案内杆(4)は、前記可動内装管(5)と一体的に軸芯方向に移動し、
前記可動内装管(5)は、前記案内杆(4)の案内に従って、前記外装管(2)から突出して前記単管の端部開口に挿入される突出位置(I)と、前記外装管(2)内に引込む退避位置(II)とに移動することを特徴とする単管継手金具を提供する。
【００１１】
本考案の上記構成によれば、単管継手金具は、従来の単管継手金具と同じく、単管の端部開口に挿入される小径部分（固定内装管(3)及び可動内装管(5)）を両側に有し、単管及び継手金具を順次連結することにより、多数の単管を直列に連結することができる。従って、足場の全長に亘って延びる水平な手摺等を単管継手金具及び単管によって単管足場に形成することができる。
【００１２】
単管継手金具と単管とを分解する場合、撤去すべき単管を可動内装管(5)に対して回転させた後、可動内装管(5)を退避位置(II)に移動させ、可動内装管(5)を外装管(2)内に引込めれば良い。可動内装管(5)の退避により、撤去すべき単管の端部は、横方向又は上下方向に移動することができる。単管端部を軸芯に対して横方向又は上下方向に移動させることにより、他の単管と干渉せずに、撤去すべき単管のみをその軸芯方向に移動させることができる。単管の反対側の端部は、通常は、他の単管継手金具（本考案の単管継手金具又は従来の単管継手金具）に連結しているが、単管を回転させ、その軸芯方向に移動させることにより、他の単管継手金具との連結をも解放することができる。かくして両端部を単管継手金具から解放した単管は、単独で手摺等から取外すことができる。
【考案の効果】
【００１３】
本考案の単管継手金具によれば、単管継手金具によって直列に連結された多数の単管に関し、特定の単管のみを局所的に撤去することができる。
【考案を実施するための最良の形態】
【００１４】
本考案の好適な実施形態によれば、可動内装管(5)は、外装管(2)から突出する単管係止部(6)と、単管係止部(6)と一体化し、外装管(2)内を移動する管内移動部(7)とから構成され、管内移動部(7)の内端部は、固定内装管(3)内に挿入される。可動内装管(5)を退避位置(II)に引込んだとき、管内移動部(7)は、固定内装管(3)内に移動する。このような構成によれば、大径部分を構成する外装管(2)の長さを増大させることなく、可動内装管(5)を移動させることができる。好適には、単管係止部(6)の全長は、退避位置(II)において単管係止部(6)の内端部が固定内装管(3)の内端部と当接し又は近接するように設定される。
【００１５】
好ましくは、可動内装管(5)及び固定内装管(3)の外端部には、単管端部の係止ピンに係合する一対のＬ形溝(33,63)が形成される。可動内装管(5)及び固定内装管(3)は、係止ピンがＬ形溝(33,63)に係止することによって単管端部に固定される。
【００１６】
更に好ましくは、外装管(2)は、軸芯方向に延びる一対のスロット（長孔）(21)を有し、案内杆(4)は、スロット(21)を貫通するボルト・ナット組立体からなる。ボルトは、可動内装管(5)と一体的に軸芯方向に移動するように可動内装管(5)を貫通する。スロット(21)は、ボルト・ナット組立体を軸芯方向に案内するとともに、可動内装管(5)の回転を制限し又は禁止する。
【実施例１】
【００１７】
以下、添付図面を参照して、本考案の好適な実施例について詳細に説明する。
【００１８】
図１は、本考案に係る単管継手金具の実施例を示す縦断面図、正面図、平面図及び横断面図である。図２は、図１に示す単管継手金具の分解断面図であり、図３は、可動内装管の退避位置を示す単管継手金具の正面図、平面図及び縦断面図である。
【００１９】
単管継手金具１は、外装管２、固定内装管３、案内杆（案内ロッド）４及び可動内装管５から構成される。外装管２、固定内装管３及び可動内装管５は、軸芯Ｘ−Ｘを中心に同心状に配置される。外装管２は、単管８、９の端部（図１に仮想線で示す）を突付け可能な大径部分又はカラーを単管継手金具１に形成する。固定内装管３は、外装管２から軸芯（Ｘ−Ｘ）方向に突出し、単管８の開口端部に挿入可能な小径部分を単管継手金具１に形成する。可動内装管５は、外装管２から軸芯方向に突出する単管係止部６と、単管係止部６から外装管２内に延びる管内移動部７とから構成される。単管係止部６は、単管９の開口端部に挿入可能な小径部分を単管継手金具１に形成する。案内杆４は、軸芯方向に移動可能に外装管２に支持されるとともに、可動内装管５に係合し、可動内装管５を軸芯方向に案内する。
【００２０】
図２に示すように、外装管２は、内径ｄ１を有する真円形断面の鋼製管材からなり、軸芯方向に延びる一対のスロット（長孔）２１が、軸芯に対して対称に管壁に穿設される。図１（Ｄ）に示すように、案内杆４は、鋼製六角ボルト４１と、ボルト４１の先端螺子部に螺着した鋼製ナット４２とから構成される。ナット４２をボルト４１の先端螺子部に締結することにより、ボルト４１及びナット４２は、スロット２１に沿って移動可能に外装管２に係留される。
【００２１】
固定内装管３は、外装管２の内径ｄ１と実質的に同じ外径を有する真円形断面の鋼製管材からなる。固定内装管３の内端部３１は、外装管２の開口端に挿入され、溶接孔２２を使用した溶接等によって外装管２に一体的に固着される。固定内装管３の外端部３２は、外装管２の開口端から軸芯方向外方に突出する。外端部３２の先端部分には、先端が開口した一対のＬ形溝３３が形成される。
【００２２】
単管係止部６は、外装管２の内径ｄ１と実質的に同じ外径又は僅かに小さい外径を有する真円形断面の鋼製管材からなる。単管係止部６の外端部６２には、先端が開口した一対のＬ形溝６３が形成される。管内移動部７は、単管係止部６に同心状に接合した真円形断面の鋼製管材からなる。管内移動部７の外端部７２は、単管係止部６の内端部６１に挿入され、溶接等の固着手段によって内端部６１と一体化する。外端部７２及び内端部６１の接合部分には、ボルト４１を挿通可能な円形孔６３、７３が形成される。
【００２３】
管内移動部７は、外装管２内に挿入される。図１（Ｄ）に示すように、六角ボルト４１のシャンク部分が円形孔６３、７３を貫通する。所望により、溶接等の固着手段によってボルト４１を単管係止部６及び／又は管内移動部７に固着しても良い。
【００２４】
固定内装管３及び単管係止部６は、同一内径ｄ２を有する。管内移動部７は、固定内装管３及び単管係止部６の内径ｄ２と実質的に同じ外径又は僅かに小さい外径を有する。図１（Ａ）に示すように、管内移動部７の内端部７１が、固定内装管３の内端部３１内に挿入される。管内移動部７の外周面は、固定内装管３の内周面に摺接する。
【００２５】
可動内装管５は、ボルト４１及びナット４２とともに軸芯方向に移動する。スロット２１は、ボルト４１及びナット４２の運動を軸芯方向に案内することにより、可動内装管５の回転を制限し又は禁止する。可動内装管５は、スロット２１内のボルト４１の移動に随伴して外装管２内を軸芯方向に移動する。
【００２６】
図３には、可動内装管５を外装管２内に完全に引込んだ状態（退避位置II）が示されている。単管係止部６の内端部６１は、退避位置IIにおいて固定内装管３の内端部３１と当接し又は近接する。単管係止部６の外端部６２は、退避位置IIにおいて外装管２の端面と概ね面一の状態で静止する。単管係止部６の全長Ｌ１は、このような退避位置IIの形態が得られるように予め設定される。所望により、外端部６２が外装管２の端面から僅かに引込んだ状態で単管係止部６が静止するように全長Ｌ１を設定しても良く、或いは、後述する分解作業（図９（Ｂ））に支障がない限りは、外端部６２が外装管２の端面から僅かに突出するように全長Ｌ１を設定しても良い。
【００２７】
可動内装管５を退避位置IIに移動させる際、単管係止部６は、外装管２の管内壁面を摺動し、管内移動部７は、固定内装管３の管内壁面を摺動する。可動内装管５の運動は、スロット２１及び案内杆４によって規制され、可動内装管５は、図３に示す退避位置IIにおいて静止する。なお、可動内装管５の運動時に生じ得る可動内装管５の傾き（軸芯Ｘ−Ｘに対する傾斜）は、外装管２及び固定内装管３の管内壁面によって規制される。
【００２８】
かくして、可動内装管５は、外装管２から完全に突出した突出位置（図１、位置Ｉ）と、外装管２内に完全に引込んだ退避位置（図３、位置II）とに変位する。
【００２９】
図４〜図７は、単管継手金具１を使用した単管接続方法を示す正面図である。
【００３０】
図４には、既に施工された単管足場の手摺用単管８に対して単管継手金具１を接続し且つロックする工程が示されている。なお、単管８は、図示された端部と反対側の端部（図示せず）において、単管継手金具（本考案の単管継手金具又は従来の単管継手金具）によって、他の単管（図示せず）に既に連結されている。
【００３１】
単管８は、真円形断面の足場用鋼製単管パイプ８１からなり、単管パイプ８１の開口端部には、鋼製係止ピン（廻り止めピン）８２が固定されている。ピン８２は、単管パイプ８１を直径方向に貫通する。単管継手金具１の固定内装管３は、Ｌ形溝３３の開口端がピン８２と整列した状態において、単管パイプ８１内に挿入される。ピン８２がＬ形溝３３内に完全に収容されたときに、単管継手金具１を矢印方向に回転させると、単管継手金具１は、図５に示す如く単管８に同心状に接続され且つロックされる。  
【００３２】
次いで、図５に示すように、単管９が、単管継手金具１に接続される。単管９は、単管８と同様、開口端部に鋼製係止ピン（廻り止めピン）９２を固定した真円形断面の足場用鋼製単管パイプ９１からなる。ピン９２は、単管パイプ９１を直径方向に貫通する。ピン９２をＬ形溝６３の開口端と整列させ、単管パイプ９１を軸芯方向に移動させることにより、単管係止部６は、図６に示すように単管パイプ９１内に挿入される。
【００３３】
ピン９２がＬ形溝６３内に完全に収容されたときに、単管パイプ９１を図６に示す矢印方向に回転させると、単管９は、図７に示すように単管継手金具１に同心状に接続され且つロックされる。
【００３４】
図８は、単管継手金具１によって複数の単管を直列に連結してなる単管足場の手摺を示す平面図であり、図９は、接続解放時の単管継手金具の状態を示す単管継手金具の正面図である。
【００３５】
単管継手金具１を用いて施工した単管足場の手摺が図８（Ａ）に示されている。単管継手金具１によって単管８に直列に連結した単管９は、緊結金具（クランプ部材）１２によって単管足場の建地パイプ１１に緊結される。単管９の端部には、他の単管継手金具１’（本考案の単管継手金具又は従来の単管継手金具）によって単管１０が更に連結される。
【００３６】
単管８、９、１０は、連続する直管状の手摺を単管足場に形成するが、大型機器搬入や、資材搬入等の作業のために、例えば、図８に示す特定領域１５の手摺を過渡的に取外す必要が生じることがある。図８（Ｂ）〜図８（Ｅ）には、特定領域１５に相当する建地間スパンの手摺を撤去する工程が示されている。
【００３７】
先ず、単管９を固定している３箇所の緊結金具１２（図８（Ｂ）に示す緊結金具１２Ａ：１２Ｂ：１２Ｃ）の緊結力が解放され、単管９の拘束が解かれる。単管９は、遊動回転可能な状態に解放される。次いで、図８（Ｃ）に矢印で示す如く、単管９を回転させ、単管継手金具１及び単管９を分離可能な位置（図９（Ａ））に相対回転させる。
【００３８】
図９（Ａ）には、単管９と分離可能な単管継手金具１の状態が示されている。図９（Ａ）に示す如く、単管９の回転に伴って、Ｌ形溝６３がピン９２を解放可能な回転位置まで相対回転すると、ピン９２は、Ｌ形溝６３に対して軸芯方向に変位することができ、従って、可動内装管５及び単管９は、軸芯方向に相対変位することができる。
【００３９】
この状態で可動内装管５を外装管２内に引き込み、可動内装管５を退避位置II（図３）に移動させると、単管９は、図９（Ｂ）に示すように、単管継手金具１との係合を解き、この結果、軸芯Ｘ−Ｘと直交する方向（横方向又は上下方向）に移動することができる。図８（Ｄ）に示すように、単管９を傾斜させると、単管８と干渉せずに単管９を管長方向に移動させることが可能となる。なお、単管継手金具１’に接続していた単管９の他側端部は、単管９の回転及び管長方向の移動により、単管９と単管継手金具１’との接続を解かれる。
【００４０】
かくして両端部を単管継手金具１、１’から解放した単管９は、単独で緊結金具１２（１２Ａ：１２Ｂ：１２Ｃ）から取外すことができる。
【００４１】
単管９の取外し後、比較的短い単管１６が、図９（Ｅ）に示すように単管継手金具１に接続され、緊結金具１２（１２Ａ：１２Ｂ：１２Ｃ）によって建地パイプ１１に緊結される。この結果、単管１６と単管１０との間には、手摺を撤去した上記特定領域１５が形成される。
【００４２】
以上、本考案の好適な実施例について詳細に説明したが、本考案は上記実施例に限定されるものではなく、実用新案登録請求の範囲に記載された本考案の範囲内で種々の変形又は変更が可能である。
【００４３】
例えば、本考案の単管継手金具は、手摺用単管の単管継手金具のみならず、他の部位の単管を接続する単管継手金具として使用しても良い。
また、外装管及び固定内装管と可動内装管とは、僅かな間隙又はクリアランスを介して近接した状態であっても良い。
更に、案内杆として、ボルト・ナット組立体以外の機械要素を採用しても良い。
【産業上の利用可能性】
【００４４】
本考案は、単管足場の単管を直列に連結する単管継手金具に適用される。本考案の単管継手金具によれば、直列に連結された多数の単管及び継手金具に関し、任意の部分において単管及び継手金具の接続を解放することができるので、直列に連結された多数の単管の一部のみを局所的に撤去することができる。従って、本考案の単管継手金具によって手摺の単管を連結した場合、手摺の任意の部分を局所的に撤去し、或いは、短い単管に交換することが可能となり、殊に顕著な実用的効果が得られる。
【図面の簡単な説明】
【００４５】
【図１】本考案に係る単管継手金具の実施例を示す縦断面図、正面図、平面図及び横断面図である。
【図２】図１に示す単管継手金具の構成部品を示す分解断面図である。
【図３】可動内装管の退避位置を示す単管継手金具の正面図、平面図及び縦断面図である。
【図４】単管継手金具を使用した単管接続方法を示す正面図であり、既に施工された手摺の単管(8)に単管継手金具(1)を接続し且つロックする工程が示されている。
【図５】単管継手金具を使用した単管接続方法を示す正面図であり、単管端部にロックした単管継手金具(1)に対して他の単管(9)を接続する工程が示されている。
【図６】単管継手金具を使用した単管接続方法を示す正面図であり、単管継手金具に接続した単管(9)を単管継手金具(1)にロックする工程が示されている。
【図７】単管継手金具を使用した単管接続方法を示す正面図であり、単管継手金具(1)によって両側の単管(8,9)を直列に連結した状態が示されている。
【図８】単管継手金具によって複数の単管を直列に連結してなる単管足場の手摺を示す平面図であり、特定の建地間スパンの手摺を撤去するための工程が例示されている。
【図９】接続解放時の単管継手金具の状態を示す単管継手金具の正面図である。
【図１０】従来の単管継手金具の構造を示す斜視図である。
【図１１】従来の単管継手金具を用いた単管連結方法を示す正面図である。
【符号の説明】
【００４６】
１  単管継手金具
２  外装管
３  固定内装管
４  案内杆（案内ロッド）
５  可動内装管
６  単管係止部
７  管内移動部
８、９、１０、１６  単管
２１  スロット（長孔）
４１  六角ボルト
４２  ナット
８２、９２  係止ピン（廻り止めピン）
Ｘ−Ｘ  軸芯
【図１】
0003129321.tif 000003
【図２】
0003129321.tif 000004
【図３】
0003129321.tif 000005
【図４】
0003129321.tif 000006
【図５】
0003129321.tif 000007
【図６】
0003129321.tif 000008
【図７】
0003129321.tif 000009
【図８】
0003129321.tif 000010
【図９】
0003129321.tif 000011
【図１０】
0003129321.tif 000012
【図１１】
0003129321.tif 000013